(57)【要約】【課題】記録時のレーザーパワー設定値が消去レーザーパワーと記録レーザーパワーとを合わせて３値以上ある場合に、それぞれのレーザーパワーを精度よく設定可能とする。【解決手段】合わせて３値以上の異なる消去レーザーパワー値及び記録レーザーパワー値を精度よく読み取るために消去レーザーパワー及び記録レーザーパワーのそれぞれに対応した記録モニター信号増幅手段を設けるよう構成し、記録モニター信号の読み取り精度を向上させる。【選択図】図１
2005276336.tif 000002
【特許請求の範囲】
【請求項１】
半導体レーザーの印加電流値を設定する電流設定手段と、設定された記録レーザーパワー、消去レーザーパワーになるよう、前記印加電流とレーザーパワー出力値との関係から印加電流を算出する手段と、レーザーパワー出力値に比例した信号を出力するレーザーパワーモニター手段と、再生動作時に、前記レーザーパワーモニター手段の出力を増幅する再生モニター信号増幅手段と、記録動作時に、複数の消去レーザーパワー及び記録レーザーパワー値のそれぞれに対応した記録モニター信号増幅手段と、前記再生モニター信号増幅手段及び複数の記録モニター信号増幅手段の出力を任意のタイミングで読み取るアナログデジタル変換手段とを備え、記録時における複数の異なる消去レーザーパワー値及び記録レーザーパワーのレーザーパワーモニター信号を読み取る事により、記録時のレーザーパワー設定ができる事を特徴とする光ディスク装置。
【発明の詳細な説明】
【技術分野】
【０００１】
本発明は、半導体レーザーのレーザーパワーを高精度に制御する事ができる光ディスク装置に関するものである。
【背景技術】
【０００２】
従来、光ディスク装置のレーザーパワー制御としては、アナログ制御とデジタル制御とがあるが、アナログ制御の場合、記録動作中に各記録セクターの先頭において消去レーザーパワー、記録レーザーパワーの試し書きを行うためのレーザーパワー設定領域が必要であり、大容量化及び高速化が制限される。一方、デジタル制御の場合は、消去レーザーパワー及び記録レーザーパワーをデジタル値で設定するため、レーザーパワー設定領域が不要となるが、実際の半導体レーザーの発振領域の非直線性による消去レーザーパワー及び記録レーザーパワーの設定値とのズレが起こったり、レーザーの温度特性のため、時間経過や周囲の温度変化によるレーザーパワーの変動が起こる。そこで、デジタル制御において、レーザーパワーの制御を精度よく行うために、次のような方法が提案されている。
【０００３】
図４は、デジタル制御のレーザーパワー制御の構成を示すブロック図である。図４において、１０１はレーザーパワー設定値を制御するマイコン、１０２は再生用Ｄ／Ａ変換回路、１０３は消去用Ｄ／Ａ変換回路、１０４は記録用Ｄ／Ａ変換回路、１０５、１０６、１０７はそれぞれ再生レーザーパワー、消去レーザーパワー、記録レーザーパワー用のレベルシフト回路、１０８は再生用電流源１１１をオン・オフさせるスイッチ、１０９は消去用電流源１１２をオン・オフさせるスイッチ、１１０は記録用電流源１１３をオン・オフさせるスイッチ、１１４は記録データの“Ｈ”、“Ｌ”により記録用電流源１１３からの電流をオン・オフさせるスイッチ、１１５は半導体レーザー、１１６は出力レーザーパワーをモニターするためのピンダイオード、１１７はピンダイオード１１６の電流を電圧に変換するＩＶ変換回路、１１８はＩＶ変換回路１１７の出力電圧をＡ／Ｄ変換回路の入力ダイナミックレンジに合わせるためのレベルシフト回路、１１９はレベルシフト回路１１８の出力電圧を増幅する電圧増幅回路、１２０は再生用Ａ／Ｄ変換回路、１２１は記録用Ａ／Ｄ変換回路である。
【０００４】
次に、図４のレーザーパワー制御回路の動作を説明する。まず、レーザーオン信号によりスイッチ１０８及び再生用電流源１１１がオンし、半導体レーザー１１５に再生レーザーパワー電流が流れ、再生レーザーパワー（例えば１ｍＷ）が出力される。再生時の再生用Ａ／Ｄ変換回路１２０の入力信号は、出力レーザーパワーモニター用のピンダイオード１１６の電流出力をＩＶ変換回路１１７で電圧に変換したものであり、さらにレベルシフト回路１１７で再生用Ａ／Ｄ変換回路１２０及び記録用Ａ／Ｄ変換回路１２１の入力ダイナミックレンジに合わせ、記録時に比べレーザーパワーが低いために記録時よりも小さい出力電圧であるレベルシフト回路１１８の出力電圧を電圧増幅回路１１９で増幅し、再生用Ａ／Ｄ変換回路１２０で読み取る電圧が再生レーザーパワーに対応する電圧に最も近い電圧値になるように、再生用Ｄ／Ａ変換回路１０２の設定値をマイコン１０１で常時増減させて制御する。
【０００５】
消去レーザーパワー及び記録レーザーパワーの設定については、半導体レーザー１１５の電流対出力レーザーパワー特性を測定しその特性を直線近似して傾きを計算する「レーザーパワー学習」を行う。
【０００６】
まず、任意の消去用初期値を消去用Ｄ／Ａ変換回路１０３に設定し、スイッチ１０９をオンする。消去用Ｄ／Ａ変換回路１０３の電圧出力は、消去用レベルシフト回路１０６によりレベルシフトされ、消去レーザーパワー時にオン状態になるスイッチ１０９を介して消去用電流源１１２を消去用レベルシフト回路１０６の出力に対応した電流で動作状態にする。消去用電流源１１２が動作状態になると、半導体レーザー１１５に電流が流れ半導体レーザー１１５は発光状態になる。半導体レーザー１１５が発光状態になると、所謂レーザーパワーを発生し光ディスクに光を照射し、その照射光で光ディスクの盤面の信号を消去する。一方、半導体レーザー１１５のレーザーパワーの一部はピンダイオード１１６にも照射され、レーザーパワーに対応するレーザーパワーモニター信号として用いられる。ピンダイオード１１６の出力電流はＩＶ変換回路１１７により電圧に変換され、変換されたレーザーパワーモニター電圧は、レベルシフト回路１１８により再生用Ａ／Ｄ変換回路１２０及び記録用Ａ／Ｄ変換回路１２１の入力ダイナミックレンジに合わせた出力範囲にレベルシフトされた後、記録用Ａ／Ｄ変換回路１２１で読み取る。この記録用Ａ／Ｄ変換回路１２１で読み取る電圧が消去レーザーパワーに対応する電圧に最も近い電圧値（Ａ値）になるまで、消去用Ｄ／Ａ変換回路１０３の設定値をマイコン１０１によって制御し、制御された値に消去用Ｄ／Ａ変換回路１０３の設定値を固定する。この時の消去用Ｄ／Ａ変換回路１０３の設定値をCとする。次に、任意の記録用初期値を記録用Ｄ／Ａ変換回路１０４に設定し、スイッチ１１０及びスイッチ１１４をオンする。記録用Ｄ／Ａ変換回路１０３の電圧出力は、記録用レベルシフト回路１０７によりレベルシフトされ、記録レーザーパワー時にオン状態になるスイッチ１１０を介して記録用電流源１１３を記録用レベルシフト回路１０７の出力に対応した電流で動作状態にする。記録用電流源１１３が動作状態になり、記録時にオン状態になるスイッチ１１４がオン状態になると、半導体レーザー１１５に電流が流れ半導体レーザー１１５は発光状態になる。半導体レーザー１１５が発光状態になると、所謂レーザーパワーを発生し光ディスクに光を照射し、その照射光で光ディスクの盤面に記録マークを形成する。一方、半導体レーザー１１５のレーザーパワーの一部はピンダイオード１１６にも照射され、レーザーパワーに対応するレーザーパワーモニター信号として用いられる。ピンダイオード１１６の出力電流はＩＶ変換回路１１７により電圧に変換され、変換されたレーザーパワーモニター電圧は、レベルシフト回路１１８により再生用Ａ／Ｄ変換回路１２０及び記録用Ａ／Ｄ変換回路１２１の入力ダイナミックレンジに合わせた出力範囲にレベルシフトされた後、記録用Ａ／Ｄ変換回路１２１で読み取る。この時も、消去レーザーパワー値の設定の時と同様に、記録用Ａ／Ｄ変換回路１２１で読み取る電圧が記録レーザーパワーに対応する電圧に最も近い電圧値（Ｂ値）になるまで、記録用Ｄ／Ａ変換回路１０４の設定値をマイコン１０１によって制御し、制御された値に記録用Ｄ／Ａ変換回路１０４の設定値を固定する。この時の記録用Ｄ／Ａ変換回路１０��の設定値をＤとする。消去用Ｄ／Ａ変換回路１０３の設定値をＣに、記録用Ｄ／Ａ変換回路１０４の設定値をＤに固定した後、スイッチ１１０及びスイッチ１１４をオフし、再生レーザーパワー制御の状態に移行する。
【０００７】
マイコン１０１は、上記動作による消去用Ｄ／Ａ変換回路１０３の設定値Ｃと記録用Ｄ／Ａ変換回路１０４の設定値Ｄの値及び記録用Ａ／Ｄ変換回路１２１で読み取った電圧Ａ値、Ｂ値から、半導体レーザー１１５の電流対出力レーザーパワー特性を直線近似し、その傾きＫ１を算出する。傾きＫ１は、
Ｋ１＝（Ｂ−Ａ）／（Ｄ−Ｃ）
で表される。この値をマイコン１０１の記憶領域で記憶しておく。
実際の記録時には、消去レーザーパワー設定値と記録レーザーパワー設定値は、温度特性等により上記「レーザーパワー学習」で学習した設定値と異なる場合がある。この場合の消去用Ｄ／Ａ変換回路１０３の設定値をＣ１、この時に記録用Ａ／Ｄ変換回路１２１で読み取る電圧値をＡ１、記録用Ｄ／Ａ変換回路１０４の設定値をＤ１、この時に記録用Ａ／Ｄ変換回路１２１で読み取る電圧値をＢ１とすると、
Ｃ１＝Ｃ＋（Ａ１−Ａ）／Ｋ
Ｄ１＝Ｄ＋（Ｂ１―Ｂ）／Ｋ
で計算でき、この値で記録動作を行う。
【特許文献１】特開平７−１５３１０６号公報（第１１頁、図４）
【発明の開示】
【発明が解決しようとする課題】
【０００８】
このような光ディスク装置においては、レーザーパワー特に記録時の消去レーザーパワー及び記録レーザーパワーを精度よく設定する事が要求されており、特に高倍速記録時においては、設定する消去レーザーパワー値及び記録レーザーパワー値が合わせて３値以上ある場合がある。
【０００９】
本発明は、レーザーパワー特に消去レーザーパワー及び記録レーザーパワーを精度よく設定するために、記録時のレーザーパワー設定値が消去レーザーパワー値と記録レーザーパワー値とが、合わせて３値以上ある場合に、それぞれのレーザーパワーのモニター信号を精度よく読み取る事ができる光ディスク装置を提供することを目的としてなされたものである。
【課題を解決するための手段】
【００１０】
この課題を解決するために本発明の光ディスク装置は、半導体レーザーの特性を予め測定し、前記半導体レーザーの特性のうち印加電流とレーザーパワー出力値との関係を計算する計算機能と、前記半導体レーザーの印加電流値を設定する電流設定手段と、設定された記録レーザーパワー、消去レーザーパワーになるよう、前記印加電流とレーザーパワー出力値との関係から印加電流を算出する手段と、レーザーパワー出力値に比例した信号を出力するレーザーパワーモニター手段と、再生動作時にレーザーパワーモニター手段の出力を増幅する再生モニター信号増幅手段と、記録動作時に複数の消去レーザーパワーまたは複数の記録レーザーパワー値に対応した３個以上の記録モニター信号増幅手段と、前記再生モニター信号増幅手段及び複数の記録モニター信号増幅手段の出力を任意のタイミングで読み取るＡ／Ｄ変換手段とを備え、光ディスクに記録を行う直前に、予め設定した消去レーザーパワー及び記録レーザーパワーで前記半導体レーザーを発光し、発光レーザーパワーと前記予め設定した消去レーザーパワーおよび記録レーザーパワー設定値とを比較し、その差異を補正する事が可能なレーザーパワー制御機能であって、合わせて３値以上の異なる消去レーザーパワー値及び記録レーザーパワー値を精度よく読み取るために消去レーザーパワー及び記録レーザーパワーのそれぞれに対応した記録モニター信号増幅手段を設けるよう構成したものである。
【００１１】
これにより、記録時のレーザーパワー設定値が消去レーザーパワー値と記録レーザーパワー値とが合わせて３値以上ある場合に、それぞれのレーザーパワーのモニター信号を精度よく読み取る事ができるので、レーザーパワー、特に記録時の消去レーザーパワー及び記録レーザーパワーを精度よく設定できる光ディスク装置が得られる。
【発明の効果】
【００１２】
本発明の光ディスク装置は、記録時のレーザーパワー設定値が消去レーザーパワーと記録レーザーパワーを合わせて３値以上ある場合に、消去レーザーパワー及び記録レーザーパワーのそれぞれに対応した記録モニター信号増幅手段を設けているために、それぞれのレーザーパワーに応じて、後段のアナログデジタル変換回路の入力レンジの最大レンジ程度にまでそれぞれのレーザーパワーモニター信号を増幅する事により、合わせて３値以上ある消去レーザーパワ−値及び記録レーザーパワー値をそれぞれ精度よく読み取る事ができ、レーザーパワー、特に記録時の消去レーザーパワー及び記録レーザーパワーを精度よく設定できるという有利な効果が得られる。
【発明を実施するための最良の形態】
【００１３】
本発明の請求項１に記載の発明は、光ディスクに記録を行う直前に、予め設定した消去レーザーパワー及び記録レーザーパワーで前記半導体レーザーを発光し、発光レーザーパワーと前記予め設定した消去レーザーパワーおよび記録レーザーパワー設定値とを比較し、その差異を補正する事が可能なレーザーパワー制御機能を有する光ディスク装置であって、半導体レーザーの特性を予め測定し、前記半導体レーザーの特性のうち印加電流とレーザーパワー出力値との関係を計算する計算機能と、前記半導体レーザーの印加電流値を設定する電流設定手段と、設定された記録レーザーパワー、消去レーザーパワーになるよう、前記印加電流とレーザーパワー出力値との関係から印加電流を算出する手段と、レーザーパワー出力値に比例した信号を出力するレーザーパワーモニター手段と、再生動作時にレーザーパワーモニター手段の出力を増幅する再生モニター信号増幅手段と、記録動作時に合わせて３値以上ある消去レーザーパワー及び記録レーザーパワー値のそれぞれに対応した３個以上の記録モニター信号増幅手段と、前記再生モニター信号増幅手段及び複数の記録モニター信号増幅手段の出力を任意のタイミングで読み取るアナログデジタル変換手段とを備え、記録動作時に合わせて３値以上ある消去レーザーパワー及び記録レーザーパワー値のそれぞれに対応した３個以上の記録モニター信号増幅手段の増幅ゲインをそれぞれのレーザーパワーモニター信号レベルに対応して設定できるようにしたものであり、レーザーパワーモニター信号を前記アナログデジタル変換手段で精度よく読み取る事により、記録時のレーザーパワー設定が精度よくできるという作用を有する。ＤＶＤ−ＲＡＭやＤＶＤ−Ｒ等の光ディスクにおいては、光ディスクの回転線速度が標準速の５倍速以上のような高倍速の記録の場合、消去レーザーパワーと記録レーザーパワーのピーク、ボトム値が合わせて３値以上存在する場合があるが、本実施例では、消去レーザーパワーが１値、記録レーザーパワーのピーク値（記録レーザーパワー）が１値、再生レーザーパワー値と異なる記録レーザーパワーのボトム値（記録ボトムレーザーパワー）が１値の合計３値ある場合の説明を行う。
【００１４】
以下本発明の実施の形態について、図１から図３を用いて説明する。
【００１５】
（実施の形態１）
図１は本発明の実施の形態１における光ディスク装置のレーザーパワー制御回路のブロック図を示し、図１において、名称が背景技術の従来例と同じものの説明は省略する。１２２ａ、１２２ｂ、１２２ｃは可変電圧増幅回路、１２３、１２４ａ、１２４ｂ、１２４ｃはスイッチ回路、１２５はＡ／Ｄ変換回路、１２６は記録ボトムレーザーパワー用Ｄ／Ａ変換回路、１２７はレベルシフト回路、１２８はスイッチ、１２９は記録ボトムレーザーパワー用電流源、１３０はスイッチであり、可変電圧増幅回路１２２ａ、１２２ｂ、１２２ｃの入力はレベルシフト回路１１７の出力に接続され、可変電圧増幅回路１２２ａ、１２２ｂ、１２２ｃのそれぞれの出力は、スイッチ１２４ａ、１２４ｂ、１２４ｃを介してＡ／Ｄ変換回路１２５に接続され、スイッチ１２３は、電圧増幅回路１１９とＡ／Ｄ変換回路１２５の間に接続されている。記録ボトムレーザーパワー用Ｄ／Ａ変換回路１２６の入力はマイコン１０１に接続され、出力はレベルシフト回路１２７、スイッチ１２８を介して記録ボトムレーザーパワー用電流源１２９に接続されている。記録ボトムレーザーパワー用電流源１２９はスイッチ１３０を介して半導体レーザー１１５に接続されている。
【００１６】
以上のように構成された光ディスク装置について、以下その動作について説明する。
【００１７】
まず再生動作時のレーザーパワー制御動作について説明する。
再生時のレーザーパワー制御開始指令が、マイコン１０１に入力されると、マイコン１０１は再生用Ｄ／Ａ変換回路１０２に初期値、例えば８ビットのデジタル値を設定する。再生用Ｄ／Ａ変換回路１０２の電圧出力は、再生用レベルシフト回路１０５によりレベルシフトされ、再生時にオン状態になるスイッチ１０８を介して再生用電流源１１１を再生用レベルシフト回路１０５の出力に対応した電流で動作状態にする。再生用電流源１１１が動作状態になると、半導体レーザー１１５に電流が流れ半導体レーザー１１５は発光状態になる。半導体レーザー１１５が発光状態になると、所謂レーザーパワーを発生し光ディスクに光を照射し、その反射光で光ディスクの盤面の信号を読み取る。一方、半導体レーザー１１５のレーザーパワーの一部はピンダイオード１１６にも照射され、レーザーパワーに対応するレーザーパワーモニター信号として用いられる。ピンダイオード１１６の出力電流はＩＶ変換回路１１７により電圧に変換され、変換されたレーザーパワーモニター電圧は、レベルシフト回路１１８によりＡ／Ｄ変換回路１２５の入力ダイナミックレンジに合わせた出力範囲にレベルシフトされ、電圧増幅回路１１９でＡ／Ｄ変換回路１２５で精度よく読み取れる程度にまで増幅された後、再生時にオン状態になるスイッチ１２３を介してＡ／Ｄ変換回路１２５で読み取る。このＡ／Ｄ変換回路１２５で読み取る電圧により、再生用Ｄ／Ａ変換回路１０２の設定値（図２のＰ１値）を制御する。この制御動作は、再生中及び記録中の消去レーザーパワー、記録レーザーパワー出力時を除く光ディスク装置スタンバイ時等に実行される。この制御動作は従来例で説明した動作と同様である。再生レーザーパワーが制御されるようになった後は、次は半導体レーザー１１５の電流対出力レーザーパワー特性を測定し、その特性曲線を直線化近似して直線の傾きを求める「レーザーパワー学習」を行う。
【００１８】
「レーザーパワー学習」は、まず、任意の消去用初期値、例えば８ビットのデジタル値を消去用Ｄ／Ａ変換回路１０３に設定し、スイッチ１０９をオンする。消去用Ｄ／Ａ変換回路１０３の電圧出力は、消去用レベルシフト回路１０６によりレベルシフトされ、消去レーザーパワー時にオン状態になるスイッチ１０９を介して消去用電流源１１２を消去用レベルシフト回路１０６の出力に対応した電流で動作状態にする。消去用電流源１１２が動作状態になると、半導体レーザー１１５に電流が流れ半導体レーザー１１５は発光状態になる。半導体レーザー１１５が発光状態になると、所謂レーザーパワーを発生し光ディスクに光を照射し、その照射光で光ディスクの盤面の信号を消去する。一方、半導体レーザー１１５のレーザーパワーの一部はピンダイオード１１６にも照射され、レーザーパワーに対応するレーザーパワーモニター信号として用いられる。ピンダイオード１１６の出力電流はＩＶ変換回路１１７により電圧に変換され、変換されたレーザーパワーモニター電圧は、レベルシフト回路１１８によりＡ／Ｄ変換回路１２５の入力ダイナミックレンジに合わせた出力範囲にレベルシフトされ、可変電圧増幅回路１２２ａでＡ／Ｄ変換回路１２５で精度よく読み取れる程度にまで増幅された後（増幅率：Ｇａ倍）、消去レーザーパワー時にオン状態になるスイッチ１２４ａを介してＡ／Ｄ変換回路１２５で読み取る。このＡ／Ｄ変換回路１２５で読み取る電圧が消去レーザーパワーに対応する電圧に最も近い電圧値（Ａａ値）になるまで、消去用Ｄ／Ａ変換回路１０３の設定値をマイコン１０１によって制御し、制御された値に消去用Ｄ／Ａ変換回路１０３の設定値を固定する。この時の設定値をＣａ（図２）とする。次に、任意の記録用ピークレベル初期値を記録用Ｄ／Ａ変換回路１０４に設定し、スイッチ１１０及び１１４をオンする。この時も、消去レーザーパワー値の設定の時と同様に、記録用Ｄ／Ａ変換回路１０４の出力は記録用レベルシフト回路１０７によりレベルシフトされ、記録レーザーパワーのピーク時にオン状態になるスイッチ１１０を介して記録用電流源１１３を記録用レベルシフト回路１０７の出力に対応した電流で動作状態にする。記録レーザーパワーのピーク時にオン状態になるスイッチ１１４及び記録用電流源１１３が動作状態になると、半導体レーザー１１５に電流が流れ半導体レーザー１１５は発光状態になる。半導体レーザー１１５が発光状態になると、所謂レーザーパワーを発生し光ディスクに光を照射し、光ディスクの盤面に記録マークを形成する。一方、半導体レーザー１１５のレーザーパワーの一部はピンダイオード１１６にも照射され、レーザーパワーに対応するレーザーパワーモニター信号として用いられる。ピンダイオード１１６の出力電流はＩＶ変換回路１１７により電圧に変換され、変換されたレーザーパワーモニター電圧は、レベルシフト回路１１８によりＡ／Ｄ変換回路１２５の入力ダイナミックレンジに合わせた出力範囲にレベルシフトされ、可変増幅回路１２２ｂでＡ／Ｄ変換回路１２５で精度よく読み取れる程度にまで増幅された後（増幅率：Ｇｂ倍）、記録レーザーパワー時（ピーク時）にオン状態になるスイッチ１２４ｂを介してＡ／Ｄ変換回路１２５で読み取る。このＡ／Ｄ変換回路１２５で読み取る電圧が記録レーザーパワーに対応する電圧に最も近い電圧値（Ｂｂ値）になるまで、記録用Ｄ／Ａ変換回路１０３の設定値をマイコン１０１によって制御し、制御された値に記録用Ｄ／Ａ変換回路１０３の設定値を固定する。この時の設定値をＤｂ（図２）とする。次に、任意の記録用ボトムレベル初期値を記録ボトムレーザーパワー用Ｄ／Ａ変換回路１２６に設定し、スイッチ１２８及び１３０をオンする。この時も、消去レーザーパワー設定及び記録レーザーパワー値の設定の時と同様に、記録ボトムレーザーパワー用Ｄ／Ａ変換回路１２６の出力は、記録ボトムレーザーパワー用レベルシフト回路１２７によりレベルシフトされ、記録レーザーパワーのボトム時にオン状態になるスイッチ１２８を介して記録ボトムレーザーパワー用電流源１１９を記録用レベルシフト回路１２７の出力に対応した電流で動作状態にする。記録レーザーパワーのボトム時にオン状態になるスイッチ１３０及び記録ボトムレーザーパワー用電流源１２９が動作状態になると、半導体レーザー１１５の電流は再生時の電流付近にまで低減し、前記の記録レーザーパワーのピーク値と高速かつ交互に動作状態が変わることにより、所謂マルチパルス波形（図２）になり、高倍速の記録波形に適した波形となる。半導体レーザー１１５が記録ボトムレーザーパワーでの発光状態になると、この時も半導体レーザー１１５のレーザーパワーの一部はピンダイオード１１６にも照射され、レーザーパワーに対応するレーザーパワーモニター信号として用いられる。ピンダイオード１１６の出力電流はＩＶ変換回路１１７により電圧に変換され、変換されたレーザーパワーモニター電圧は、レベルシフト回路１１８によりＡ／Ｄ変換回路１２５の入力ダイナミックレンジに合わせた出力範囲にレベルシフトされ、可変電圧増幅回路１２２ｃでＡ／Ｄ変換回路１２５で精度よく読み取れる程度にまで増幅された後（増幅率：Ｇｃ倍）、記録ボトムレーザーパワー時にオン状態になるスイッチ１２４ｃを介してＡ／Ｄ変換回路１２５で読み取る。このＡ／Ｄ変換回路１２５で読み取る電圧が記録レーザーパワーに対応する電圧に最も近い電圧値（Ｅｃ値）になるまで、記録ボトムレーザーパワー用Ｄ／Ａ変換回路１２６の設定値をマイコン１０１によって制御し、制御された値に記録用Ｄ／Ａ変換回路１２６の設定値を固定する。この時の設定値をＦｃ（図２）とする。
【００１９】
マイコン１０１は、上記動作による消去用Ｄ／Ａ変換回路１０３の設定値Ｃａと記録用Ｄ／Ａ変換回路１０４の設定値Ｄｂ及び可変電圧増幅回路１２２ａの増幅率Ｇａ、消去レーザーパワー時にＡ／Ｄ変換回路１２５で読み取った値Ａａ、可変電圧増幅回路１２２ｂの増幅率Ｇｂ、記録レーザーパワー時にＡ／Ｄ変換回路１２５で読み取った値Ｂｂから、半導体レーザー１１５の電流対出力レーザーパワー特性を直線近似し、その傾きＫ２を算出する。傾きＫ２は、
Ｋ２＝（Ｂｂ／Ｇｂ−Ａａ／Ｇａ）／（Ｄｂ−Ｃａ）
で表される。この値をマイコン１０１の記憶領域で記憶しておく。
実際の記録時には、消去レーザーパワー設定値と記録レーザーパワー設定値は、温度特性等により上記「レーザーパワー学習」で学習した設定値と異なる場合がある。この場合の消去用Ｄ／Ａ変換回路１０３の設定値をＣ２、この時にＡ／Ｄ変換回路１２５で読み取る電圧値をＡ２、記録用Ｄ／Ａ変換回路１０４の設定値をＤ２、この時にＡ／Ｄ変換回路１２５で読み取る電圧値をＢ２とすると、
Ｃ２＝Ｃａ＋（Ａ２／Ｇａ−Ａａ／Ｇａ）／Ｋ２
Ｄ２＝Ｄｂ＋（Ｂ２／Ｇｂ―Ｂｂ／Ｇｂ）／Ｋ２
で計算でき、この値で記録動作を行う。
記録ボトムレーザーパワーの場合も記録レーザーパワー及び消去レーザーパワーの場合と同様にＡ／Ｄ変換回路１２５で読み取る電圧値をＥ２、記録ボトムレーザーパワー用Ｄ／Ａ変換回路１２６の設定値をＦ２とすると、
Ｆ２＝Ｆｃ＋（Ｅ２／Ｇｃ―Ｅｃ／Ｇｃ）／Ｋ２
で計算できる。
【００２０】
記録時のレーザーパワー値は、再生時の精度に比べ例えば２％以内といったように高精度が要求されるので、Ａ／Ｄ変換回路１２５で読み取る電圧値も精度が要求される。Ａ／Ｄ変換回路１２５で読み取る電圧値は、最大で、Ａ／Ｄ変換回路１２５の入力レンジをＡ／Ｄ変換回路１２５のビット数（段階数）で割った値の半分の電圧分の誤差（Ｖｇ）が出てしまう。例えば入力レンジ２Ｖ、ビット数９ビット（５１２段階）すると、
Ｖｇ＝（２／５１２）／２＝０．００１９５[Ｖ]
になる。本実施例の可変増幅回路１２２ａ、１２２ｂ、１２２ｃが無い場合には、例えば記録レーザーパワーのＡ／Ｄ変換回路１２５で読み取る電圧値は０．７Ｖ、消去レーザーパワーのＡ／Ｄ変換回路１２５で読み取る電圧値は０．５Ｖ、記録ボトムレーザーパワーのＡ／Ｄ変換回路１２５で読み取る電圧値は０．１Ｖとなり、記録レーザーパワー、消去レーザーパワー、記録ボトムレーザーパワーのそれぞれのＡ／Ｄ変換回路１２５の読み取り誤差は、約０．２８％、約０．３９％、約２．０％となる。本実施例のように可変電圧増幅回路１２２ａ、１２２ｂ、１２２ｃの増幅率をそれぞれＧａ＝１．２９，Ｇｂ＝１．８，Ｇｃ＝９とすると、記録レーザーパワー、消去レーザーパワー、記録ボトムレーザーパワーのそれぞれのＡ／Ｄ変換回路１２５で読み取る電圧値は、０．９０３Ｖ、０．９Ｖ、０．９Ｖとなるので、記録レーザーパワー、消去レーザーパワー、記録ボトムレーザーパワーのそれぞれのＡ／Ｄ変換回路１２５での読み取り誤差は、約０．２２％、約０．２２％、約０．２２％となり、Ａ／Ｄ変換回路１２５の読み取り誤差は小さくなる。Ａ／Ｄ変換回路１２５の読み取り誤差が少なくなる事により、記録レーザーパワー、消去レーザーパワー、記録ボトムレーザーパワーそれぞれのレーザーパワーが高精度に設定できる事になる。
【００２１】
上記の説明は、消去レーザーパワーが１値、記録レーザーパワーのピーク値が１値、再生レーザーパワー値と異なる記録レーザーパワーのボトム値が１値の合計３値ある場合について述べたが、消去レーザーパワー、記録レーザーパワーのピーク値、再生レーザーパワー値と異なる記録レーザーパワーのボトム値のいずれかが複数あっても各レーザー
パワー値の合計の数になるよう可変電圧増幅回路１２２ａ、１２２ｂ、１２２ｃ及びスイッチ１２４ａ、１２４ｂ、１２４ｃの数を増やせばよい事は言うまでもない。また、書き換え不可能な光ディスクの場合、レーザーパワー設定値は、例えば図３で示すように記録レーザーパワーのピーク値が１値、記録レーザーパワーの中間値が１値、記録レーザーパワーのボトム値が１値の合計３値の場合等が考えられるが、この場合も消去レーザーパワーの代わりに記録レーザーパワーの中間値を置き換えて考えればよい。
【産業上の利用可能性】
【００２２】
本発明にかかる光ディスク装置は、記録動作時特に高倍速記録時に、合わせて３値以上の異なる消去レーザーパワー値及び記録レーザーパワー値を精度よく読み取るために消去レーザーパワー及び記録レーザーパワーのそれぞれに対応した記録モニター信号増幅手段を設けるよう構成した事によって消去レーザーパワー値及び記録レーザーパワー値のそれぞれのレーザーパワーに応じて、後段のＡ／Ｄ変換回路の入力レンジの最大レンジ程度にまでそれぞれのレーザーパワーモニター信号を増幅する事により、合わせて３値以上ある消去レーザーパワ−及び記録レーザーパワーの値をそれぞれ精度よく読み取る事ができ、レーザーパワー、記録時、特に高倍速記録時の消去レーザーパワー及び記録レーザーパワーの設定を精度よく設定する必要がある用途にも適用できる。
【図面の簡単な説明】
【００２３】
【図１】本発明の一実施の形態による光ディスク装置のレーザーパワー制御回路のブロック図
【図２】書き換え可能な光ディスクの記録時の半導体レーザー電流の一実施例における設定波形図
【図３】書き換え不可能な光ディスクの記録時の半導体レーザー電流の一実施例における設定波形図
【図４】従来の光ディスク装置のレーザーパワー制御回路のブロック図
【符号の説明】
【００２４】
１０１    マイコン
１０２    再生レーザーパワー用Ｄ／Ａ変換回路
１０３    消去レーザーパワー用Ｄ／Ａ変換回路
１０４    記録レーザーパワー用Ｄ／Ａ変換回路
１０５、１０６、１０７    レベルシフト回路
１０８、１０９、１１０    スイッチ
１１１    再生用電流源
１１２    消去用電流源
１１３    記録用電流源
１１４    スイッチ
１１５    半導体レーザー
１１６    ピンダイオード
１１７    ＩＶ変換回路
１１８    レベルシフト回路
１１９    電圧増幅回路
１２０    再生用Ａ／Ｄ変換回路
１２１    記録用Ａ／Ｄ変換回路
１２２ａ、１２２ｂ、１２２ｃ    可変電圧増幅回路
１２３、１２４ａ、１２４ｂ、１２４ｃ    スイッチ
１２５    Ａ／Ｄ変換回路
１２６    記録ボトムレーザーパワー用Ｄ／Ａ変換回路
１２７    レベルシフト回路
１２８    スイッチ
１２９    記録ボトムレーザーパワー用電流源
１３０    スイッチ
【図１】
2005276336.tif 000003
【図２】
2005276336.tif 000004
【図３】
2005276336.tif 000005
【図４】
2005276336.tif 000006